(57)【要約】      （修正有）【課題】モバイル機器が、位置決定を行うことなく、比較的静止していることを決定する方法を提供する。【解決手段】モバイル機器は、モバイル機器に動作可能に結合されたトラッキング・ユニットを備える。該トラッキング・ユニットは、複数の基地局からの複数うのパイロット信号を受信する２０４。該トラッキング・ユニットは、受信した複数のパイロット信号のそれぞれが、前に受信した複数の信号のそれぞれと同じ基地局からの信号であり２０８、かつほぼ同じ強度であることを決定する２１６ことにより、比較的静止したままであることを決定する２１８。【選択図】図３
2014239483.tif 000002
【特許請求の範囲】
【請求項１】
モバイル機器が比較的静止したままであるかどうかを決定するために受信された複数の無線周波数信号を使用する方法、前記方法は下記を備える、
前記モバイル機器のトラッキング・ユニットによって前に受信された無線周波数信号の第１の強度を格納すること、
前記無線周波数信号を前記モバイル機器で次に受信すること、
前記次に受信された無線周波数信号の第２の強度を計算すること、
前記第２の強度を前記第１の強度と比較すること、
前記第２の強度が前記第１の強度の所定の許容差を有する場合、前記モバイル機器は実質的に前に決定された位置にあると決定すること、
それによって、位置決定を行なうことなく、前記モバイル機器が比較的静止していることが決定されることができる。
【請求項２】
無線周波数信号の第１の強度を格納することは、複数の無線周波数信号の複数の第１の強度を格納することを備える、請求項１記載の方法。
【請求項３】
前記第１の強度は前の最小信号強度及び前の最大信号強度を備える、及びここにおいて前記第２の強度を前記第１の強度と前記比較することは、前記第２の強度が、前記前の最小信号より下の第１の所定の量以上であり、及び前記前の最大信号より上の第２の所定の量以下であることを決定することを備える、請求項１記載の方法。
【請求項４】
前記第１の所定の量は前記第２の所定の量に等しい、請求項３記載の方法。
【請求項５】
前記無線周波数信号はＣＤＭＡネットワークのためのパイロット・チャネルを備える、請求項１記載の方法。
【請求項６】
前記第１の強度は前のパイロット強度を備え、前記第２の強度は現在のパイロット強度を備える、請求項５記載の方法。
【請求項７】
下記を備える、請求項５記載の方法、
前記前のパイロット強度に関連した第１のパイロットＰＮを格納すること、
現在のパイロット・チャネルに関連した第２のパイロットＰＮを決定すること、
前記第１のパイロットＰＮを、前記第２のパイロットＰＮと比較すること、
それによって、前記第１のパイロットＰＮが前記第２のパイロットＰＮに等しい場合にのみ、前記モバイル機器が比較的静止したままであることが決定される。
【請求項８】
下記を備える、請求項１記載の方法、
前記モバイル機器の実際の位置を得ること、
前記モバイル機器の前記実際の位置の決定に基づいて前記所定の許容差を調節すること。
【請求項９】
前記無線周波数信号は複数のパイロット・チャネルを備える、ここにおいて前記第１のパイロットＰＮは複数の第１のパイロットＰＮを備え、前記第２のパイロットＰＮは複数の第２のパイロットＰＮを備える、請求項７記載の方法。
【請求項１０】
前記無線周波数信号は、ＵＭＴＳネットワークの共通したパイロット・チャネルまたはＧＳＭ（登録商標）ネットワークのブロードキャスト・チャネルのうちの少なくとも１つを備える、請求項１記載の方法。
【請求項１１】
前記モバイル機器のトラッキング・ユニットによって前に受信された無線周波数信号の第１の強度を格納する工程は、前記無線周波数信号の前に記録されたすべての強度を平均することを備える、請求項１記載の方法。
【請求項１２】
前記平均は重みつき平均である、請求項１１記載の方法。
【請求項１３】
モバイル機器が比較的静止したままであるかどうかを決定するために受信された複数の無線周波数信号を使用する方法、前記方法は下記を備える、
少なくとも１つの繰返し無線周波数信号を前記モバイル機器で受信すること、
前記モバイル機器で受信された、前に受信された複数の繰返し無線周波数信号の情報を備えるデータベースを確立すること、前記情報は前に受信された各繰返し無線周波数信号の識別子、及び前に受信された各繰返し無線周波数信号の強度を備える、
前記モバイル機器がほぼ同じ位置にあるかどうかを決定するために、前に受信された複数の繰返し無線周波数信号の前記データベース中の情報と、現在受信された繰返し無線周波数信号の情報を比較すること、
前記現在受信された繰返し無線周波数信号からの前記情報を用いて前記データベース中の前記情報を更新すること。
【請求項１４】
前記識別子はパイロットＰＮであり、前記強度はパイロット強度である、請求項１３記載の方法。
【請求項１５】
前記データベース中の前記情報は、前記比較がほぼ同じ時刻からの情報を比較するように前記パイロットＰＮ及び前記パイロット強度が決定される時刻である、請求項１４記載の方法。
【請求項１６】
前記データベースを確立する前記工程は、前記受信された繰返し無線周波数信号から各無線周波数信号の識別子を抽出すること、及び前記受信された繰返し無線周波数信号の強度を計算すること、ならびに前記識別子及び関連した強度を前記情報として前記データベース中に格納することを備える、請求項１４記載の方法。
【請求項１７】
前記更新する工程は、前記現在受信された繰返し無線周波数信号を用いて前記前に受信された複数の繰返し無線周波数信号からの前記情報を平均することを備える、請求項１６記載の方法。
【請求項１８】
前記情報を前記更新することは、前記現在受信された繰返し無線周波数信号を、最小の前に受信された繰返し無線周波数信号と比較すること、前記最小の前に受信された繰返し無線周波数信号を、前記現在受信された繰返し無線周波数信号と置換することを備える、請求項１３記載の方法。
【請求項１９】
前記情報を前記更新することは、前記現在受信された繰返し無線周波数信号を、最大の前に受信された繰返し無線周波数信号と比較すること、前記最大の前に受信された繰返し無線周波数信号を、前記現在受信された繰返し無線周波数信号と置換することを備える、請求項１３記載の方法。
【請求項２０】
前記情報は前記前に受信された複数の繰返し無線周波数信号に関する少なくとも１つの位置決定を備える、請求項１３記載の方法。
【請求項２１】
モバイル機器が比較的静止しているかどうかを決定するために前記モバイル機器に動作可能に結合されたトラッキング・ユニット、前記トラッキング・ユニットは下記を備える、
現在の複数の無線周波数送信を受信するように動作可能な無線受信機、
前記現在の複数の無線周波数送信から情報を抽出するために前記無線受信機に動作可能に結合されたコントローラ、前記情報は前記複数の無線周波数送信の各々の識別子と、及び前記複数の無線周波数送信の各々の強度とを備える、
前に受信された複数の無線周波数送信の前記情報を格納するメモリ、
ここにおいて、前記コントローラは、前記モバイル機器が比較的静止したままであることを決定するために、前記現在の複数の無線周波数送信の前記情報を、前記前に受信された複数の無線周波数送信と比較するように動作可能である。
【請求項２２】
前記無線受信機は、ＣＤＭＡ下で動作している複数の基地局からの複数のパイロット・チャネル送信を受信する、請求項２１記載のトラッキング・ユニット。
【請求項２３】
前記コントローラは、前記複数のパイロット・チャネル送信から前記パイロットＰＮ及び前記パイロット強度を抽出し、前記パイロットＰＮ及び前記パイロット強度を前記情報として格納する、請求項２１記載のトラッキング・ユニット。
【請求項２４】
前記無線受信機は、ＵＭＴＳネットワーク下で動作している複数の基地局からの共通した複数のパイロット・チャネルまたはＧＳＭ（登録商標）下で動作している複数の基地局からの複数のブロードキャスト・チャネルのうちの少なくとも１つを受信する、請求項２０記載のトラッキング・ユニット。
【請求項２５】
前記コントローラに動作可能に結合された位置決定センサを備える、ここにおいて前記トラッキング・ユニットの前記位置は確定できる、請求項２０記載のトラッキング・ユニット。
【請求項２６】
前記位置決定センサはＧＰＳ受信機である、請求項２４記載のトラッキング・ユニット。
【請求項２７】
前記コントローラは、前記トラッキング・ユニットが前の位置から移動したことを前記コントローラが決定する場合に、前記情報を消去するために前記メモリに動作可能に結合される、請求項２０記載のトラッキング・ユニット。
【請求項２８】
前記コントローラは、前記メモリが前に受信された複数の無線周波数送信を格納した後に前記モバイル機器が比較的静止したままであることを決定するように動作可能である、請求項２０記載のトラッキング・ユニット。
【請求項２９】
該モバイル機器の位置を決定するように適応されたＧＰＳ受信機を備え、それによって該コントローラは該モバイル機器の該位置をメモリに格納するように動作可能であり、該モバイル機器が比較的静止したままであるかどうかを決定する能力を調整するために該モバイル機器の該位置を使用するように適応される、請求項２０記載のトラッキング・ユニット。
【請求項２９】
下記をコンピュータに行なわせるコンピュータ可読記憶媒体上に格納されたコンピュータ実行可能なコードを含むコンピュータ・プログラム製品、
現在の複数の無線周波数送信を受信すること、
前記現在の複数の無線周波数送信から情報を抽出すること、前記情報は前記複数の無線周波数送信の各々の識別子と、前記複数の無線周波数送信の各々の強度とを備える、
前に受信された複数の無線周波数送信の情報を格納すること、
モバイル機器が比較的静止したままであることを決定するために前記現在の複数の無線周波数送信の前記情報を、前記前に受信された複数の無線周波数送信と比較すること。
【請求項３０】
モバイル機器が比較的静止したままであるかどうかを決定するために複数の無線周波数信号を受信するためのトラッキング・ユニット、前記トラッキング・ユニットは下記を具備する、
前記モバイル機器のトラッキング・ユニットによって前に受信された無線周波数信号の第１の強度を格納するための手段、
前記無線周波数信号を前記モバイル機器で受信するための手段、
前記第１の強度を格納することに続いて受信された前記受信された無線周波数信号の第２の強度を計算するための手段、
前記第２の強度を前記第１の強度と比較するための手段、
前記第２の強度が前記第１の強度の所定の範囲を有する場合、前記モバイル機器が実質的に前に決定された位置にあると決定するための手段、
それによって、位置決定を行なうことなく、前記モバイル機器が比較的静止していることが決定されることができる。
【発明の詳細な説明】
【技術分野】
【０００１】
本願のテクノロジーは、一般に、モバイル機器が比較的静止したままであることを確認することに関し、具体的には、モバイル機器が比較的静止したままであるかどうかを決定するために、ＣＤＭＡネットワーク・パイロット・チャネルのような、繰返し可能な複数の無線周波数信号を使用することに関する。
【背景技術】
【０００２】
複数の移動無線デバイス、複数の移動無線端末、あるいは他の移動無線機器（以降、全体として、移動機器またはＭＥと呼ばれる）の位置を識別するか、あるいは決定する能力は、広く普及してきている。モバイル機器の位置は、例えば、専用及び公衆ネットワーク、ＷＬＡＮ、ＷＷＡＮ、ＷｉＦｉ、ＷｉＭａｘ等を含む、いくつかのネットワークのうちの１またはそれより多くのものを使用する、業界内で一般に知られているいくつかの技術を使用して、決定されあるいは推定されることができる。複数の通信プロトコルは、例えば、複数の符号分割多元接続（ＣＤＭＡ）ネットワーク・プロトコル、複数のＧＳＭ（登録商標）(Global System for Mobile Communications）ネットワーク・プロトコル、ＵＭＴＳ（Universal Mobile Telecommunication System）、複数の時分割多元接続（ＴＤＭＡ）ネットワーク・プロトコル、複数のＳＣ−ＦＤＭＡ（Single-Carrier Frequency Division Multiple Access）ネットワーク・プロトコル等を含むことができる。さらに、位置または場所情報は、技術において一般に知られているように衛星ベースの測位システム、地上ベースの測位システム、あるいはハイブリッド(hybrid)測位システムのいずれかであることができる。例えば、衛星ベースの測位システム（ＳＰＳ）は、全地球測位システム（ＧＰＳ：軍により開発されたとき、ＮＡＶＳＴＡＲと当初呼ばれた）を使用し得る。当然ながら、ＧＰＳはＳＰＳの単なる一例に過ぎず、例えば、他の複数のＧＮＳＳ(Global Navigation Satellite Systems)、ガリレオ測位システム（ヨーロッパ）、Ｇｌｏｎａｓｓ（ロシア）、Ｃｏｍｐａｓｓ／Ｂｅｉｄｏｕ（中国）、ＱＺＳＳ（日本）、その組合せ等のような、他の複数のＳＰＳが使用され得る。
【０００３】
１つの典型的なシステムによれば、モバイル機器は、米国のＧＰＳシステムのような、ＳＰＳに関連した複数の衛星から受信された複数の信号に部分的に基づいてその場所または位置を推定することができる。モバイル機器は、その位置を決定することに関する支援を要求するために無線ネットワークのアップリンク部分及び関連する基地局によってモバイル測位センタ及び／または位置決め装置(position determining equipment)と通信するように構成されることができる。該要求に応答して、該モバイル測位センタ及び／または位置決め装置は、該無線ネットワークのダウンリンク部分及び関連する基地局によってモバイル機器に該要求された情報を送信することができる。このような要求された情報は、例えば、現在見えている複数の衛星の識別を含むことができ、そこから該モバイル機器は、一般に技術的に知られているように、該見えている複数の衛星の位置に関する情報、複数の訂正ファクタ(correction factors)、期待されるドップラー・シフトに関する情報を受信することができる。該情報を送信すること、受信すること、及び処理すること、該複数の衛星信号を獲得すること、該位置を決定すること等は、該モバイル機器が複数の再充電の間で動作できる時間の量を減少させるかなりな量の電力、新しい電池、等を必要とする。
【０００４】
しかしながら、あるモバイル機器はある時間期間のあいだ比較的静止したままである。このモバイル機器を追跡することは、それがたとえ比較的静止していても、例えば、不正(unauthorized)使用や窃盗等を検出するためには有用であり得る。しかしながら、このモバイル機器の該位置を検出することは、たとえ該モバイル機器が比較的静止していることが知られていても、従来の位置決定を必要とする。
【０００５】
したがって、従来の複数の位置決定方法及び装置よりも少ない電力を使用する、移動していないデバイスに関する情報あるいはデバイスの位置に関する情報を提供するための複数の装置及び複数の方法が技術的に必要とされている。
【発明の概要】
【０００６】
ここに示された複数の実施形態は、該モバイル機器のトラッキング・ユニットによって前に受信された無線周波数信号の第１の強度を格納し、次に該無線周波数信号を該モバイル機器で受信することにより上述の必要性に対処する。該次に受信された無線周波数信号の強度は計算され、該第１の強度と比較される。第２の強度が第１の強度の所定の(predetermined)許容差(tolerance)を有する場合、該モバイル機器は実質的に前に決定された位置にあると決定され、それによって位置決定を行なうことなく、該モバイル機器が比較的静止していることが決定され得る。
【０００７】
ここに示された他の複数の実施形態は、モバイル機器が比較的静止したままであるかどうかを決定するために受信された複数の無線周波数信号を使用することにより、上述の必要性に対処する。該方法は、少なくとも１つの繰返し(repetitive)無線周波数信号を該モバイル機器で受信すること、及び該モバイル機器で受信された、前に受信された複数の繰返し無線周波数信号の情報を備えるデータベースを確立することを備える。該情報は、前に受信された各繰返し無線周波数信号の識別子、及び前に受信された各繰返し無線周波数信号の強度を備える。該識別子は、パイロットＰＮであることができ、該強度はパイロット強度であることができる。該方法はさらに、該モバイル機器がほぼ同じ位置にあるかどうかを決定するために、前に受信された複数の繰返し無線周波数信号の該データベース中の情報と現在受信された繰返し無線周波数信号の情報を比較し、該現在受信された繰返し無線周波数信号からの該情報を用いて該データベース中の該情報を更新する。
【０００８】
ここにおけるさらに別の複数の実施形態は、モバイル機器が比較的静止しているかどうかを決定するために該モバイル機器に動作可能に結合されたトラッキング・ユニットを提供することにより、上述の必要性に対処する。該トラッキング・ユニットは、該モバイル機器に動作可能に結合されること、一体化されること等ができ、現在の複数の無線周波数送信を受信するように動作可能な無線受信機を含む。コントローラは、現在の複数の無線周波数送信から情報を抽出するために該無線受信機に動作可能に結合され、その情報は該複数の無線周波数送信の各々の識別子と、及び該複数の無線周波数送信の各々の強度とを備える。メモリは、前に受信された複数の無線周波数送信の該情報を格納する。該コントローラは、該モバイル機器が比較的静止したままであることを決定するために該現在の複数の無線周波数送信の該情報を、該前に受信された複数の無線周波数送信と比較するように動作可能である。
【０００９】
ここにおける他の複数の実施形態は、コンピュータに複数のオペレーション(operations)を行なわせるコンピュータ可読記憶媒体上に格納されたコンピュータ実行可能なコードを含むコンピュータ・プログラム製品を提供することにより、上述の必要性に対処する。それはコンピュータにオペレーションを行なわせる。具体的には、該実行可能なコードはコンピュータに、現在の複数の無線周波数送信を受信させ、該現在の複数の無線周波数送信から情報を抽出させ、該情報は該複数の無線周波数送信の各々の識別子と、該複数の無線周波数送信の各々の強度とを備え、前に受信された複数の無線周波数送信の情報を格納させ、及びモバイル機器が比較的静止したままであることを決定するために該現在の複数の無線周波数送信の該情報を、該前に受信された複数の無線周波数送信と比較させる。
【００１０】
ここにおけるさらに別の複数の実施形態では、上述の必要性は、モバイル機器が比較的静止したままであるかどうかを決定するために複数の無線周波数信号を受信するためのトラッキング・ユニットを提供することにより対処される。該トラッキング・ユニットは、該モバイル機器のトラッキング・ユニットによって前に受信された無線周波数信号の第１の強度を格納するための手段を備える。該トラッキング・ユニットは、該無線周波数信号を該モバイル機器で受信するための手段、及び第１の強度を格納することに続いて受信された該受信された無線周波数信号の第２の強度を計算するための手段を備える。該トラッキング・ユニットは該第２の強度を該第１の強度と比較するための手段、及び該第２の強度が該第１の強度の所定の範囲内である場合、該モバイル機器が実質的に前に決定された位置にあると決定するための手段を有し、それによって位置決定を行なうことなく、該モバイル機器が比較的静止していることが決定されることができる。
【図面の簡単な説明】
【００１１】
【図１】図１は、本願のテクノロジーによるシステムの１つの可能な典型的な実施形態を示す機能ブロックブロック図である。
【図２】図２は、図１からのトラッキング・ユニットの１つの可能な典型的な実施形態を示す機能ブロック図である。
【図３】図３は、本願のテクノロジーに関連した複数の動作工程の典型的なフローチャートである。
【図４】図４は、本願のテクノロジーに関連した典型的なメモリである。
【図５】図５は、図４の該メモリの構築に関連した複数の動作工程の典型的なフローチャートである。
【図６】図６は、本願のテクノロジーに関連した複数の動作工程の典型的なフローチャートである。
【詳細な説明】
【００１２】
以下、実例となる実施形態を参照して本願のテクノロジーを説明する。しかしながら、本願のテクノロジーが実例となる実施形態に限定されていないこが理解されるべきである。具体的には、本願のテクノロジーは、モバイル機器のエネルギあるいは電池寿命を節約して使用する(conserves)効率的なやり方で、該モバイル機器を追跡する必要性と要望を認識している。多くの例において、該モバイル機器は長い時間期間比較的静止していることができる。比較的静止していることは、モバイル機器が固定された位置にとどまっていることを必要とせず、むしろ、移動が特定のエリアまたは場所(locale)に制限されることを意味するように広く解釈されるべきである。モバイル機器が完全に静止した（すなわち、移動は一切ない）ままであった場合、該モバイル機器は、例えば、モーション(motion)・センサが何等かの動きを示すまで、前に決定された同じ位置にあると考えられ得る。しかしながら、このテクノロジーは、該モバイル機器が事前定義された(predefined)または予め構成された(preconfigured)エリア内にとどまっていることを知ることにより関心をもっている。例えば、現場で一度も移動しない高価な機器(piece of equipment)は、該モーション・センサが動きを示すまで一旦設定された位置上にあると決定されることができるのに対して、例えば、犬は庭の中で常にかわることなく(consistently)移動することができるが、しかし、その犬がその庭の向こうへ移動する場合に警告されることを人は欲するに過ぎない。ジオフェンス(geofence)は、モバイル機器が境界内にあることを立証する(establishing)位置決定によって、及び該境界の範囲(limits)を確立することに基づいて、該犬のような該モバイル機器が該境界内にあることを決定される適用の一例にすぎない。本願のテクノロジーはここにおけるいくつかの実施形態のジオフェンスに関して説明され得るが、当業者は本願の開示を読むことにより、本願の該テクノロジーがジオフェンスの複数の適用に制限されないことを理解するだろう。
【００１３】
図１を参照すると、モバイル機器追跡ネットワーク１００の典型的なブロック図が与えられている。モバイル機器追跡ネットワーク１００は、複数のアンテナ１０４及び少なくとも１つのモバイル機器１０６を有する１またはそれより多くの基地局１０２を含む。基地局１０２は、便宜と簡明さのために図示されていないシステム１００の他の複数のコンポーネントを慣例的に含み、他のそのような複数のコンポーネントは、一般に技術的に知られているベース・トランシーバ・ステーション（ＢＴＳ）、基地局コントローラ（ＢＳＣ）、モバイル・スイッチング・センタ（ＭＳＣ）等を含む。モバイル機器１０６は、アンテナ１１０に接続されたトラッキング・ユニット１０８を含む。技術的に共通しているように、トラッキング・ユニット１０８は基地局１０２のうちの１つに関連した該アンテナ１０４に無線通信ネットワーク１１２を通して情報を送信するために使用される複数の無線通信コンポーネントを含むことができる。トラッキング・ユニット１０８は、モバイル機器１０６に該トラッキング・ユニット１０８を固定すること、該トラッキング・ユニット１０８を該モバイル機器１０６中へ一体化すること、あるいは該トラッキング・ユニット１０８を該モバイル機器中へインプラントすること(implanting)により、モバイル機器１０６に典型的に結合される。例えば、該モバイル機器がコンテナである場合、トラッキング・ユニット１０８は該コンテナの外表面に付けられる(affixed)ことができる。モバイル機器がペットである場合、該トラッキング・ユニットは首輪の中へ一体化されて該ペットに固定されることができる。該モバイル機器がセルラー(cellular)電話または無線周波数識別ユニットである場合、該トラッキング・ユニット１０８は該モバイル機器１０６中に一体化されることができる。これらは、該トラッキング・ユニット１０８を関連するモバイル機器１０６に結合するごく少数の例である。
【００１４】
トラッキング・ユニット１０８は、該トラッキング・ユニット１０８の位置を提供することができ、及びしたがって該関連するモバイル機器１０６の位置もまた提供する１またはそれより多くの位置感知受信機を含む。示された典型的なモバイル機器追跡ネットワーク１００では、該トラッキング・ユニット１０８の該位置感知受信機は、複数の衛星１１４から複数の信号を受信する、複数のＧＰＳ受信機のような複数の衛星信号受信機を含む。一般に技術的に理解されるように、衛星受信機は複数の衛星１１４からの複数の信号に基づいてよく知られている複数の位置決定アルゴリズムを行なうことにより位置情報を比較的高い正確さで提供するように動作する。他の複数のモバイル機器追跡ネットワーク１００は複数の地上ベースの(based)追跡信号あるいは複数の地上及び衛星信号の組合せを使用することかできる。
【００１５】
トラッキング・ユニット１０８は、上述された専用及び公衆ネットワーク等のうちの任意のもののような、従来の専用または公衆ネットワーク１１８を介してモバイル測位センタ等のようなサーバ１１６に接続することができる。したがって、１つの典型的な実施形態では、トラッキング・ユニット１０８はＧＰＳあるいは上述された任意の衛星測位システムに関連した複数の衛星１１４から受信された複数の信号に部分的に基づいてモバイル機器１０６の位置を決定することができる。トラッキング・ユニット１０８はその位置に関する支援を要求するためにモバイル機器追跡ネットワーク１００のアップリンク部分及び関連する基地局１０２によって、モバイル測位センタ、位置決め装置等のような、サーバ１１６と通信するように構成され得る。サーバ１１６は、モバイル機器追跡ネットワーク１００のダウンリンク部分及び関連する基地局１０２により該要求された情報を該トラッキング・ユニット１０８へ送信することができる。１つの典型的な実施形態では、そのようなダウンリンク部分は、初期システム獲得(initial system acquisition)のためのビーコン機能性(beacon functionality) を提供する複数のパイロット・チャネル、システム獲得で要求される複数のシステム・パラメータを伝送するための複数の同期チャネル、複数のオーバヘッド・メッセージ、複数のページ、複数のセットアップ・メッセージ及び複数のオーダ(orders)を伝送するために使用される複数のページング・チャネルを含むことができる。ダウンリンク部分中のトラッキング・ユニット１０８に送信された情報はまた、例えば、該トラッキング・ユニット１０８等を制御する及び／または構成するための複数のコマンドを含むことができる。１つの典型的な実施形態中における他の情報は、例えば、現在見えている複数の衛星の識別を含むことができ、そこからトラッキング・ユニット１０８は、一般に技術的に知られているように、該見えている複数の衛星の位置に関する情報、複数の訂正ファクタ、期待されるドップラー・シフトに関する情報等を受信することができる。トラッキング・ユニット１０８は、一般に技術的によく知られている複数の技術を使用して該デバイスにおいて複数の衛星１１４からの複数の信号に基づく複数の擬似測定(pseudorange measurements)を得ることができる。関連するモバイル機器１０６及びトラッキング・ユニット１０８の位置は、獲得した衛星１１４から得られた該複数の擬似測定に基づいて推定され得る。その代わりに、その位置を推定するために、トラッキング・ユニット１０８は基地局１０２及びモバイル機器追跡ネットワーク１００を介するアップリンクを通じて、外部アプリケーションがモバイル機器１０６及びトラッキング・ユニット１０８の位置を決定することを可能にするための一般に技術的に知られているアプリケーション・サービス、あるいは該複数の擬似測定をサーバ１１６へ送信することができる。認識されるように、従来の位置決定は、例えば、複数の衛星を獲得し、追跡するためのバッテリの使用を必要とする。したがって、位置決定のために使用されるバッテリ電力の量を減らすことが望ましい。例えば、要求されるただ一つの情報が、モバイル機器が比較的静止したままであるかどうかであ��場合、従来の位置決定を行なう必要がないならば、より少ないバッテリ電力が要求されることができる。
【００１６】
トラッキング・ユニット１０８は位置決定のための複数の衛星信号、位置決定のための複数の地上信号、あるいはその組合せを受信することができるが、それはまた他の複数の信号を受信している。したがって、該位置決定と該他の複数の信号との間の相関は、該デバイスが比較的静止したままであるかどうかの決定を可能にすることができる。すなわち、該他の複数の信号が比較的一定のままである場合、該デバイスは比較的同じ位置にとどまっている。一般に、該他の複数の信号は、複数の繰返し信号である複数の無線周波数信号である。繰返し(repetitive)は、一般に、信号が同じ送信ソース(source)から生じることを意味するために使用されている。
【００１７】
例えば、ＣＤＭＡネットワークでは、トラッキング・ユニット１０８は識別された基地局１０２の各々から複数の繰返し信号を受信し、その複数の繰返し信号はパイロット・チャネル信号として一般に知られている。パイロット・チャネル、パイロット・チャネル信号、及びパイロット信号はここにおいて同じ意味で使用されている。繰返し信号はトラッキング・ユニット１０８により特定の強度で受信され、それは特定の基地局からのものとして識別可能である。一般に、該パイロット・チャネルは、各ＣＤＭＡ基地局１０２によって連続的に送信された変調されていない(unmodulated)直接シーケンス(direct-sequence)拡散スペクトル信号を備える。該パイロット・チャネルは、移動局が順方向ＣＤＭＡチャネルのタイミングを獲得することを可能にし、コヒーレント(coherent)復調のための位相基準を供給し、及び複数の基地局１０２間のハンドオフ(handoff)をいつ行なうべきかを決定するための複数の基地局間の信号強度の比較のための手段を提供する。該パイロット・チャネルの該識別は、順方向ＣＤＭＡチャネル及び逆方向ＣＤＭＡチャネルを拡散するために使用された変調された最大長の複数の擬似雑音(pseudonoise)コードの１対であるパイロットＰＮシーケンスと慣例通りに呼ばれる。異なる複数の基地局は異なる複数のパイロットＰＮシーケンス・オフセットによって識別される。各基地局１０２のパイロット信号はまたトラッキング・ユニット１０８によって特定の強度で受信される。パイロット強度は、受信されたエネルギ全体に対する受信されたパイロット・エネルギの比である。同様の信号は、例えば、複数のＧＳＭ（登録商標）プロトコル・ネットワークのためのブロードキャスト・チャネル（ＢＣＣＨ）、複数のＵＭＴＳプロトコル・ネットワークのための共通したパイロット・チャネル（ＣＰＩＣＨ））等のような、他の複数の無線ネットワークに関して存在する。かなり静止しているモバイル機器１０６については、該トラッキング・ユニット１０８は、任の与えられた時刻(time of day)に関して、複数の基地局１０２の各々から同様の強度信号を受信すべきである。該パイロット・チャネルは関連した識別部分を既に有しており、複数の特定の基礎局から比較的一定しており、常にブロードキャストされるので、それは相対的な動き(relative movement)の代理(proxy)として使用されるのに特によく適している。換言すると、トラッキング・ユニットが同じ強度で（あるいはある許容差内で）同じ複数の基地局から複数の信号を受信する場合、該トラッキング・ユニットは、おそらく、前の位置決定と同じ位置にある。したがって、位置決定を再度行なうことの代わりに、該トラッキング・ユニットは同じ位置にあることが単に仮定される。
【００１８】
該相対的な動きを計算するために、該複数のアルゴリズム（ここに説明されているような）は、相対的な動きの決定に達するために、他の複数のまたはマルチプル(multiple)基地局からの複数の信号を結合することができ、あるいは同じ複数の基地局からの複数の信号を使用することができる。これらの基地局はモバイル機器によって検出されていることができ、あるいはモバイル機器に複数の信号を送信していることができ、あるいは、それらはデバイス中に予め構成されることができ、もしくはその組合せであることができる。例えば、上記の犬の例に戻って参照すると、その犬は、既知の複数の基地局からの複数の信号を受信する既知の位置に含まれるであろう。これらの知られている基地局は、相対的な動きの複数の計算を行なうように予め構成されることができる。
【００１９】
特定の１実施形態では、モバイル機器１０６、トラッキング・ユニット１０８、サーバ１１６等は、該モバイル機器１０６がそれが前に位置された場所にかなり近いに違いないと決定するために、各パイロット信号の信号強度を、同じ基地局１０２からの前に記録されたパイロット信号強度と比較することが可能である。該モバイル機器がそれが前にあった場所に比較的近いと決定される場合、位置決定を行なう必要を回避することが可能であり、それによってトラッキング・ユニット１０８及びモバイル機器１０６の複数のリソースを大事に使う(conserve)ことができる。トラッキング・ユニット１０８に複数のパイロット信号を供給する基地局１０２がより多いと、それだけ一層高い正確さが得られることができる。該無線周波数信号の強度は送信機からの距離に比例して変わるので、信号の強度は代理としての使用に特によく適している。
【００２０】
図２を参照すると、トラッキング・ユニット１０８の典型的な実施形態が提供されている。この実施形態では、該トラッキング・ユニット１０８は、多くのそのようなデバイスに典型的な複数のコンポーネント及び回路を含む。該デバイスは無線送信機／受信機１５０、ＧＰＳ受信機１５４、及びアンテナ１５８を含む。無線送信機／受信機１５０は、アンテナ１５８で受信される複数の無線信号を受信して該複数の信号を復調し、コントローラ１６２にそれらを供給するように動作可能である。該コントローラ１６２は、プロセッサ、マイクロプロセッサ、チップセット、プログラム可能なアレイ、サーバ、コンピュータ等のような、任意の適切なコントローラであることができる。無線トランシーバ１５０はまた、コントローラ１６２から複数の信号を受信し、該複数の信号をＲＦ信号上に変調し、該アンテナ１５８で該変調された信号を送信することができる。該ＧＰＳ受信機１５４は、トラッキング・ユニット１０８の位置を決定するために適切な数のＧＰＳ衛星からのＧＰＳ信号を受信するように動作可能である。ＧＰＳ受信機１５４はまたアンテナ１５８に接続される。アンテナ１５８は、単一のアンテナとして示されているが、受信アンテナ、送信(send)アンテナ及び、またはＧＰＳ受信機用の個別のアンテナのような、１またはそれより多くの別個のアンテナを含むことができる。コントローラ１６２はメモリ１６６及びオプションのユーザ・インターフェース１７０に結合される。コントローラ１６２は、トラッキング・ユニット１０８上で実行している任意の複数のアプリケーションを動作させることを含むトラッキング・ユニット１０８の複数のオペレーションを制御する。メモリ１６６は揮発性及び／または不揮発性メモリを含むこのようなトラッキング・ユニット１０８に適した任意のタイプのメモリを含むことができる。該メモリ１６６は、トラッキング・ユニット１０８のために異なる複数のアプリケーションを実行するためのコードを含む。オプションのユーザ・インターフェース１７０は、ビジュアル及び／またはグラフィカル・ユーザ・インターフェース及び関連するキーパッド及び／または任意の他の物理的入力デバイスを含む任意の適切なユーザ・インターフェースであることができる。以下さらに説明されるメモリ１６６は、該トラッキング・ユニット１０８によって受信された各パイロット・チャネルに関するパイロット強度及びパイロットＰＮを格納するために使用され得る。しかしながら、メモリは、ローカル(local)または一緒に配置された(co-located)メモリとして記載されているが、トラッキング・ユニット１０８から遠方に位置されることができる。図示され説明されたトラッキング・ユニット１０８はＧＰＳ受信機１５４を含むが、当業者は、該トラッキング・ユニット１０８が上述されたＳＰＳのうちのいずれでも使用することができることを認識するであろう。さらに、トラッキング・ユニット１０８は支援されたＧＰＳ、地上ベースの複数の位置システム、複数のハイブリッド・システム、その組合せ等を使用し得る。
【００２１】
以下にさらに詳細に説明されるように、複数の基地局１０２は異なる複数の時刻に異なる複数の強度でパイロット・チャネルをブロードキャストすることができ、及び／または、トラッキング・ユニット１０８は異なる複数の時刻に異なる複数の強度を有するプロット(plot)・チャネルを受信することができる。複数の変更は、基地局１０２の送信電力がその日の間ずっと変化するため、あるいは、例えば、マルチパス、他の複数のユーザからの干渉、大気条件、季節の問題等のような干渉のためであることができる。したがって、該信号強度は、時間の複数の同様の期間中に得られた複数の信号強度に比較されるべきである。さらに、本願のネットワーク１００はトラッキング・ユニット１０８に複数の信号を供給する３つの基地局と共に示されているが、本願のテクノロジーは、単一の基地局１０２を使用する正確さ(accuracy)は該モバイル機器１０６の移動経路(trajectory)に依存して損なわれ(compromised)得るが、利用可能な数の基地局１０２あるいは単一の基地局１０２と共に作動することができる。
【００２２】
図３を参照すると、本願のテクノロジーに関連した複数の動作工程を示す典型的なフローチャート２００が与えられている。該フローチャート２００は、前に受信され格納されたパイロットＰＮ及びパイロット強度が格納される典型的な実施形態を説明し、前のパイロットＰＮ及びパイロット強度を受信し、格納することは以下さらに詳細に説明される。さらに、関連する複数の工程は、特定の順番の複数のばらばらの(discrete)工程として提供されるが、しかし、様々な工程は反復して、連続的に、あるいは同様に生じ得ることが理解されるべきである。与えられた複数の工程は他の複数の工程と結合され、及び異なる順番で行なわれることができる。
【００２３】
典型的なフローチャート２００において、最初に工程２０２で、位置確認プロセスが開始される。一旦、開始されたトラッキング・ユニット１０８は１またはそれより多くの基地局１０２から複数のパイロット・チャネル信号を受信する（工程２０４）。実際には、該パイロット・チャネルが連続的にブロードキャストされるので、トラッキング・ユニット１０８は該複数のパイロット・チャネルを連続的に受信するが、しかし、該複数のパイロット・チャネルは、位置を確認しているか、あるいは情報を格納している時を除いて、現在の目的のために無視されることができる。該位置の確認の開始は、アプリケーション・ベースで、ランダムなあるいは事前定義された複数のインターバルで該デバイスにより自動的に、ユーザによって手動で、等により行なわれることができる。さらに、複数のパイロット・チャネル信号の受信は、該トラッキング・ユニット１０８が連続的にオンであったのか、デューティ・サイクルを有していたのか等に依存し得る。随意に、１またはそれより多くの基地局からの該複数のパイロット・チャネル信号は前に受信した同じ複数の基地局からのものであるかどうかを決定するためのチェックが行われることができる。このオプションのチェックは、フローチャート２００において破線で工程２０６及び２０８として示されている。最初に、該受信された複数のパイロット信号の識別は該パイロットＰＮから決定される（工程２０６）。次に、該受信された複数のパイロット信号の該識別は、前の複数のパイロット信号の識別に一致するかどうかが決定される（工程２０８）。当然ながら、複数の信号が同じ複数の基地局から受信されることをチェックする代わりに、該システムは、該複数の基地局が同じであると仮定することができる。この典型的な実施形態では、該受信された複数のパイロット信号は同じ複数の基地局からのものであるかどうかを決定することは、該受信された複数のパイロットＰＮの各々が該格納された複数のパイロットＰＮと同じであるかどうかを決定することを含む。該受信された複数のパイロット信号のすべてが該前の複数のパイロット信号の該識別と一致しない場合、モバイル機器は移動したと結論付けられるので、工程２１０で従来の位置決定が行なわれ、そうでない場合は、それは同じ複数の基地局１０２を予測する(see)。トラッキング・ユニット１０８が前に受信されたものより多い、少ない、あるいは単に異なるパイロット信号を受信している場合、受信された複数のパイロット信号のすべてが一致しなくてもよい。
【００２４】
次に、各基地局パイロット信号のパイロット信号強度が決定される（工程２１２）。各パイロット信号の該前に格納されたパイロット信号強度は、メモリからフェッチされる(fetched)（工程２１４）。以下に説明するように、該前に格納されたパイロット信号強度は、最後に受信されたあるいは計算された強度、時間にわたる平均強度、時間にわたる重みつき(weighted)平均強度、記録された最大及び最小の間の強度の範囲等であることができる。次に、該得られたパイロット信号のパイロット強度は前に格納されたパイロット強度の所定の許容差内にあるかどうかが決定される（工程２１６）。該所定の許容差は記録された強度からのパーセント変更(percent change)等であることができる。該許容差は、どれだけの移動変化が特定のアプリケーションに関して許容され得るかに基づいて主に決定される。受信された複数のパイロット信号の各々のパイロット強度が所定の閾値内にある場合、該モバイル機器は、次の位置確認の開始（工程２０２）まで、許容された位置の外側に移動していないと仮定される（工程２１８）。得られた複数のパイロット信号の各々のパイロット強度が所定の閾値の外側である場合、該モバイル機器は移動したと仮定されるので、従来の位置決定が行なわれる（工程２１０）。従来の位置決定が行なわれる場合、該前に格納されたパイロット・チャネル情報は消去されるべきである（工程２２０）。
【００２５】
該テクノロジーの初期の展開時に、そして時々(from time to time)、本願のテクノロジーが、モバイル機器は比較的静止したままであると決定した時でも、位置決定を行なうことにより該モバイル機器の実際の位置を決定することは有益であり得る。これは、手動で、ランダムに、自動的に、事前定義された複数のインターバルで、該モバイル機器が該位置に最初に配置される時等にはもっと頻繁に、行なわれることができる。該モバイル・デバイスの実際の位置は、該許容差を調整すること(tuning)等によって粗い移動検出器の正確さを改善するために使用され得る。１つの典型的な実施形態では、例えば、該パイロット信号強度は、ＧＰＳ位置決定を使用して固定されるいくつかの位置に関連付けられる。パイロット信号強度を獲得すること(taking)、及び許された移動エリアの周囲に関して、例えば、固定されたＧＰＳの緯度及び経度の複数の位置にそれらを関連付けることは、可能な時に、該複数のパイロット強度の許容差を微調整すること(fine tuning)を可能にし得る。
【００２６】
上記の典型的な実施形態はパイロット信号、パイロット信号ＰＮ及びパイロット信号強度に関して記述されているが、当業者は、トラッキング・ユニット１０８によって得られた任意の無線信号が適度に一貫している(consistent)、固有で(unique)ある、あるいは予測可能である限り、モバイル機器１０６が比較的静止したままであるかどうかを決定するために該無線信号を使用できることを理解することに注意すべきである。別の典型的な実施形態では、複数のパイロット・チャネル送信の代わりに、該トラッキング・ユニット１０８は複数の無線ブロードキャスト(radio broadcasts)を受信することができる。例えば、ＡＭまたはＦＭの帯域において複数の無線塔信号を同様の位置の代理として使用することは可能であり得る。例えば、ＡＭ帯域の複数のラジオ局がブロードキャストしている場合、トラッキング・ユニット１０８は、該ブロードキャストされた周波数で識別可能である複数のＡＭ帯域送信を得るように構成されることができ、及び該無線送信の強度を得るように構成されることができる。さらに、複数の空港あるいは他の一般的に静止している複数の送信ソースからの複数の無線周波数信号は同様に使用され得る。換言すると、トラッキング・ユニット１０８が受信し得る任意の無線周波数信号のほとんどは、該トラッキング・ユニット１０８が比較的静止したままであるという結論を可能にする同じ相対的な強度で、該トラッキング・ユニット１０８が依然として同じ複数の信号を受信していることを決定するための代理として使用されることができる。
【００２７】
認識され得るように、ひとたびモバイル機器１０６が比較的静止すると、フローチャート２００の方法は、パイロット・チャネルあるいは他の無線周波数ブロードキャストからの情報の初期セットが得られると、位置のための代理（proxy）として使用されることができる。情報の該セットは時として仮想アクティブ・セット(virtual active set)、仮想セット等と呼ばれることができる。位置の代理としてパイロット・チャネルを使用する場合において、該仮想セットは、例えば、複数のパイロットＰＮ及び複数のパイロット強度を含むことができる。
【００２８】
データベースは、該システムの該オペレーションを容易にするように時間にわたって構築されるであろうと想像される。したがって、ひとたびモバイル機器１０６が、それがとどまると期待される場所に（すなわち、ジオフェンス適用に関連付けられることができるような、比較的静止した位置内に）位置されると、トラッキング・ユニット１０８は、複数の基地局１０２から１またはそれより多くのパイロット・チャネル・ブロードキャストを受信し始め、及び該複数の信号に関係のあるデータベースを構築し始める。該データベースは、見えている任意所与の基地局に関して一貫しているパイロットＰＮ、設計選択の事項としての任意の時間的導出(time derivation)であり得る該信号が記録される時刻、及び一日の間に変わり得るパイロット強度を含むことができる。トラッキング・ユニット１０８は、メモリ１６６にデータベースを維持することができ、あるいはサーバ１１６に関連したメモリのような、データベースを遠隔に配置することができる。典型的なデータベース３００は図４に示されている。データベース３００はいくつかのフィールドあるいはセル３０２を含むことができる。この場合は、複数のセル３０２は、基地局識別のためのパイロットＰＮセル３０４を含むことができ、そのうちの３つの基地局が示されているが、しかし基地局の数は、トラッキング・ユニット１０８がパイロット・チャネルを受信する基地局の数に等しい。パイロット強度及び／または基地局送信電力は、例えば、期待された使用法等により一日の間に変わり得るので、別のフィールドは時刻セル３０６となる。最後に、別のフィールドはパイロット強度セル３０８であり得る。したがって、午前１１：００の基地局２の該期待されたパイロット強度は、ＭＮＯ ｄＢになる。当然ながら、該複数の時間は典型的なものであり、例えば、分(minute)、時間(hour)、数時間(several hours)、あるいはその日が平日であるか、あるいは週末であるか、ならびに複数の月(months)等で、強度のような任意の名称を表わし得る。該パイロット強度は示されている単一の表現であることができ、それは前に記録されたパイロット強度であり得る。その代わり、該パイロット強度は複数のパイロット強度の移動平均(running average)であり得る。さらに別の実施形態では、与えられた時間の最大及び最小の複数のパイロット強度は、複数のパイロット強度がそれぞれの範囲の許容差内にある場合に、該トラッキング・ユニットが比較的静止していると考えられることができ、該パイロット強度が期待される範囲を確立するために記録されることができる。
【００２９】
上述したように、実際の緯度及び経度の複数の測定はまた、任意の与えられた基地局に関する任意の与えられた時刻におけるパイロット信号強度測定に関係付けられることができる。図４に示されているように、データベース３００は、複数の測定に関する関連した複数の実際の位置（列内のａ／ｂ及びｃ／ｄで示された）を有する緯度／経度セル３１０を含むことができる。実際の複数の緯度及び複数の経度はあらゆる関連した読み(reading)には必要ない。これらの実際の位置は、モバイル機器が該境界内にとどまっているかどうかを決定するための該テクノロジーに関する許容差を調整するために上述のように使用され得る。
【００３０】
以下図５を参照すると、記録する代表的な複数の信号を記録することに関連した複数の動作工程を示す典型的なフローチャート３２０が提供されている。最初に、工程３２２において、代表的な複数の信号の該記録が開始される。次に、該トラッキング・ユニット１０８は該位置において１またはそれより多くの無線周波数信号を受信する（工程３２４）。トラッキング・ユニット１０８、あるいは設計選択事項としてのある遠隔プロセッサは、は、受信された１またはそれより多くの無線周波数信号のそれぞれのための識別子を抽出する（工程３２６）。典型的な１つの識別子は、上述されたパイロットＰＮを含むことができ、別のものはＡＭ／ＦＭ帯域を含むことができ、別のものは空港タワー識別を含むことができ、さらに別のものは、ブロードキャスト・チャネル識別、その組合せ等を含むことができる。複数の識別子の各々は、トラッキング・ユニット１０８のメモリ１６６のようなメモリ中に格納される（工程３２８）。信号ソースからの距離の変化と共に変わるある類似した信号あるいはパイロット強度のような信号強度は、１またはそれより多くの無線周波数信号の各々に関して計算される（工程３３０）。該信号強度は該対応した識別子に関連付けられ（工程３３２）、メモリ１６６のようなメモリに格納される（工程３３４）。随意に、タイム・スタンプは、技術的に慣例であるように、検出され、あるいは決定され、受信された複数の無線周波数信号のそれぞれの識別子及び強度と関連付けられ、該メモリに格納されることができる（工程３３６）。
【００３１】
位置の変化と共に変わるある類似した信号、あるいは該強度に関して、該トラッキング・ユニット１０８及び該モバイル機器１０６は比較的同じ位置にあると考えられると決定されると、記録された各強度信号は前に記録され格納された信号と単に置換することができる。その代わりに、最初に記録された強度は保持される(retained)ことができる。さらに別の実施形態においては、該記録された強度は複数の移動平均、複数の重みつき平均等であることができる。したがって、工程フローチャート３２０は、該複数の強度を平均するオプションの工程３３３を含むことができる。このような平均する工程は、例えば、下記の式を使用することにより計算され得る：
平均信号強度＝（Σ（信号強度）n）／ｎ
ここでは、（信号強度）n）は信号強度であり、ｎは信号の数である。時間にわたって該信号強度を平均することは、単一の値を提供することに関するただ１つのオプションである。もっと最近計算された複数の信号強度にさらなる重みを与えることによって大気条件をさらに正確に反映することのできる複数の重みつき平均のような、別の複数の平均式もまた使用され得る。
【００３２】
図６を参照すると、本願のテクノロジーの１つの可能な実施形態の複数の動作工程を示す典型的なフローチャート３５０が与えられている。フローチャート３５０は、該受信された信号強度が許容差内にあって該モバイル機器１０６が比較的静止したままであることを示すかどうかを決定するために使用されることのできる複数の信号強度を記録するための複数の動作工程の１つの可能な実施形態を提供する。最初に、工程３５２において、該モバイル機器は比較的静止していると決定される。該モバイル機器が比較的静止していると決定することは、ユーザ、モバイル機器が所定の位置内にとどまっていることを示す連続した複数の位置決定、ユーザからの手動の表示(indication) 等によって行なわれ得る。次に、工程３５４において、該トラッキング・ユニット１０８は、該モバイル機器１０６が比較的静止したままである、あるいはあるエリア内にとどまっているかどうかを評価する(evaluate)ために使用され得る１またはそれより多くの無線周波数信号が存在するかどうかを決定する。該モバイル機器１０６が比較的静止したままである、あるいはあるエリア内にとどまっているかどうかを評価するために使用され得る１またはそれより多くの無線周波数信号が存在する場合、該トラッキング・ユニットは該複数の無線周波数信号を識別し（工程３５６）、該複数の無線周波数信号の該強度を計算し（工程３５８）、各無線周波数信号のアイデンティティ(identity)及び強度を格納する（工程３６０）。この例において、これは識別された信号の最初の強度であるので、該強度はメモリの最小及び最大強度セルの両方に格納される。簡明にするために、該格納された最小及び最大は、前に記録された最小あるいは前に記録された最大と呼ばれることができる。認識できるように、時刻等はまた上記に記載された複数の動作と同様に記録され得る。トラッキング・ユニット１０８（分、時間、日、等によるように、連続的から断続的にまで１つのスペクトル上に設定されうる次のインターバルで）は、次の無線周波数信号を受信し、該無線周波数信号を識別する（工程３６２）。随意に、トラッキング・ユニット１０８は、該次の複数の無線周波数信号が前に説明された前の複数の無線周波数信号と同じであるかどうかを決定することができる（破線で示されている工程３６３）。その後、該次の無線周波数信号の強度が計算される（工程３６４）。その後、該モバイル機器は比較的同じ位置内にとどまっているかどうかが決定される（工程３６５）。このような計算は上記のフローチャート２００等と一致していることができる。該モバイル機器は移動したと決定される場合、工程２１０と同様に、従来の位置決定が行なわれ、該モバイル機器が次に比較的静止した位置にある時のために、該プロセスは工程３５２に戻る。該モバイル機器が移動していないと決定される場合、該次の無線周波数信号の強度は、該前に記録された最小の強度信号及び最大強度信号と比較される（工程３６６）。次の無線周波数信号の強度が該前に格納された最小より小さい場合、該次の無線周波数信号は格納され、該前に格納された最小になり（工程３７０）、該プロセスは工程３６２に戻る。該次の無線周波数信号の強度が該前に格納された最小以上である場合、それは前に格納された最大より大きいかどうかが決定される（工程３７２）。それが該前に格納された最大の信号より大きい場合、該次の無線周波数信号は格納され、該前に格納された最大になる（工程３７４）。最後に、該モバイル機器が比較的静止したままであるかどうかを連続して決定するために、制御は工程３６２に戻される。
【００３３】
上記の複数の動作工程は、モバイル機器が移動していないと決定するために無線周波数信号強度が存在すべき帯域を提供することに関する１つの可能な方法を示している。実際の決定は、該強度が前に記録された最小より小さい所定の量以下であり、及び前に記録された最大より大きい所定の量以下であるかどうかを決定することによりなされることができる。同様に、位置代理及び／または位置確認プロセスを開始するための所定の最小信号強度が存在し得る。
【００３４】
当業者は、情報及び複数の信号が様々な異なるテクノロジー及び技術のうちの任意のものを使用して表わされることができることを理解するであろう。例えば、上記の記載の全体にわたって参照され得るデータ、複数の命令、複数のコマンド、情報、複数の信号、複数のビット、複数の記号、及び複数のチップは、複数の電圧、複数の電流、電磁波、複数の電磁波、複数の磁気フィールドまたは複数の磁気粒子、複数の光学フィールドまたは複数の光学粒子、あるいはその任意の組合せで表わされることができる。
【００３５】
当業者は、ここに開示された複数の実施形態に関連して記載された様々な実例となる複数の論理ブロック、複数のモジュール、複数の回路、及び複数のアルゴリズム工程が、電子ハードウェア、コンピュータ・ソフトウェア、あるいは両者の組合せとしてインプリメントされ得ることをさらに認識するであろう。ハードウェアとソフトウェアのこの互換性(interchangeability)を明確に例証するために、様々な実例となる複数のコンポーネント(components)、複数のブロック、複数のモジュール、複数の回路、及び複数の工程は、それらの機能性(functionality)の点から上記において一般的に説明されている。そのような機能性がハードウェアとしてインプリメントされるのか、あるいはソフトウェアとしてインプリメントされるのかは、システム全体に課された複数の設計制約(constraints) 及び特定の用途に依存する。当業者は、各特定用途の異なる方法で該記載された機能性をインプリメントすることができるが、しかし、そのような複数のインプリメンテーション(implementation)決定は、本発明の技術的範囲からの逸脱を引き起こすと解釈されるべきでない。
【００３６】
ここに開示された複数の実施形態に関連して記載された様々な実例となる複数の論理ブロック、複数のモジュール、及び複数の回路は、ここに記述された複数のファンクション(functions)を行なうために設計された、汎用プロセッサ、デジタル信号プロセッサ（ＤＳＰ）、特定用途向け集積回路（ＡＳＩＣ）、フィールド・プログラム可能なゲート・アレイ（ＦＰＧＡ）または他のプログラム可能な論理デバイス、ディスクリート(discrete)ゲートまたはトランジスタ論理回路(transistor logic)、複数のディスクリート・ハードウェア・コンポーネント、あるいはその任意の組合せを用いてインプリメントされ、あるいは行なわれることができる。汎用プロセッサはマイクロプロセッサであることができるが、しかし、別の実施形態においては、該プロセッサは任意のコンベンショナル・プロセッサ(conventional processor)、コントローラ、マイクロコントローラ、あるいは状態機械であることができる。プロセッサはまた、例えば、ＤＳＰコアに関連した１またはそれより多くのマイクロプロセッサ、複数のマイクロプロセッサ、１つのマイクロプロセッサと１つのＤＳＰの組合せ等の、複数の計算デバイスの組合せ、あるいは任意の他のこのような構成としてインプリメントされ得る。
【００３７】
ここに開示された複数の実施形態に関連して記載された１つの方法またはアルゴリズムの複数の工程は、ハードウェアにおいて、プロセッサによって実行されるソフトウェア・モジュールにおいて、あるいは該２者の組合せで直接具体化されることができる。ソフトウェア・モジュールは、ＲＡＭ(Random Access Memory)、フラッシュ・メモリ、ＲＯＭ(Read Only Memory)、ＥＰＲＯＭ(Electrically Programmable ROM)、ＥＥＰＲＯＭ(Electrically Erasable Programmable ROM)、複数のレジスタ、ハード・ディスク(disk)、取外し可能ディスク、ＣＤ−ＲＯＭ、あるいは技術的に知られている任意の他の形態の記憶媒体の中に存在し得る。典型的な記憶媒体は、プロセッサが該記憶媒体から情報を読取り、及び該記憶媒体に情報を書込むことができるように、該プロセッサに結合される。別の実施形態では、該記憶媒体は該プロセッサと一体化していることができる。該プロセッサと該記憶媒体はＡＳＩＣ中に存在し得る。該ＡＳＩＣはユーザ端末中に存在し得る。別の実施形態では、該プロセッサと該記憶媒体は、ユーザ端末中に複数のディスクリート・コンポーネントとして存在し得る。
【００３８】
開示された複数の実施形態の先の説明は、当業者が本発明を形成するか使用することを可能にするために提供されている。これらの開示された複数の実施形態への様々な修正は当業者に容易に明白になり、また、ここに規定されている複数の一般的な原理は、本願発明の技術的範囲を逸脱せずに、他の複数の実施形態に適用され得る。したがって、本願発明は、ここに示された複数の実施形態に限定されるものではなく、ここに開示されている複数の原理及び複数の新しい特徴と一致する非常に広い技術的範囲を与えられる。
【図１】
2014239483.tif 000003
【図２】
2014239483.tif 000004
【図３】
2014239483.tif 000005
【図４】
2014239483.tif 000006
【図５】
2014239483.tif 000007
【図６】
2014239483.tif 000008
【手続補正書】
【提出日】平成26年8月15日(2014.8.15)
【手続補正１】
【補正対象書類名】特許請求の範囲
【補正対象項目名】全文
【補正方法】変更
【補正の内容】
【特許請求の範囲】
【請求項１】
モバイル機器が比較的静止したままであるかどうかを決定するために受信された複数の無線周波数信号を使用する方法、前記方法は下記を備える、
前記モバイル機器のトラッキング・ユニットによって前に受信された無線周波数信号の第１の強度を格納すること、
前記無線周波数信号を前記モバイル機器で次に受信すること、
前記次に受信された無線周波数信号の第２の強度を計算すること、
前記第２の強度を前記第１の強度と比較すること、
前記第２の強度が前記第１の強度の所定の許容差を有する場合、前記モバイル機器は実質的に前に決定された位置にあると決定すること、
それによって、位置決定を行なうことなく、前記モバイル機器が比較的静止していることが決定されることができる。
【外国語明細書】
2014239483000001.pdf